(57)【要約】      （修正有）【課題】構造を簡略化しつつ音量を調節することができる音量調節装置及びオルゴール装置を提供する。【解決手段】オルゴール装置は、オルゴール本体２０と、このオルゴール本体２０と共振するようにオルゴール本体２０を支持する支持体２２と、この支持体２２に接触する接触部４４と、この接触部４４の支持体２２に対する接触度合を調節する調節手段と、を有する。【選択図】図５
2015068873.tif 000002
【特許請求の範囲】
【請求項１】
音を発生する発音部と共振するように該発音部を支持する支持体と、
前記支持体に接触する接触部と、
前記接触部の前記支持体に対する接触度合を調節する調節手段と、
を有する音量調節装置。
【請求項２】
前記接触部は、前記支持体を挟んで前記発音機構と対向する位置に接触する請求項１記載の音量調節装置。
【請求項３】
前記接触部は、支点を中心に前記支持体に向けて回転自在である請求項１又は２記載の音量調節装置。
【請求項４】
前記調節手段は、前記接触部を支持するカム、
をさらに有し、
前記カムの回転に伴って前記接触部と前記支持体との接触する度合が調節される請求項１〜３いずれか記載の音量調節装置。
【請求項５】
前記調節手段は、前記接触部を回転自在に支持する回転軸部、
をさらに有し、
前記カムの回転に伴って前記接触部が前記回転軸部を支点に回転する請求項４記載の音量調節装置。
【請求項６】
前記接触部は、前記支持体と接触する部分が金属により構成される請求項１〜５いずれか記載の音量調節装置。
【請求項７】
オルゴール本体と、
前記オルゴール本体と共振するように該オルゴール本体を支持する支持体と、
前記支持体に接触する接触部と、
前記接触部の前記支持体に対する接触度合を調節する調節手段と、
を有するオルゴール装置。
【発明の詳細な説明】
【技術分野】
【０００１】
本発明は、音量調節装置及びオルゴール装置に関する。
【背景技術】
【０００２】
オルゴール装置には、振動することで発音する発音体を弾き、弾かれた発音体の振動を振動板で共振させて音量を増大させる構造のものがある。
【０００３】
特許文献１には、振動することで発音する発音体と、発音体を機械的に駆動して振動させる駆動手段と、発音体の振動を受けて振動する振動板と、発音体と振動板の間に介在して該発音体の振動を振動板に伝達する伝達部材とを具備し、伝達部材は、この伝達部材を移動させることで振動板に対する当接位置を変更し、振動板の振動特性を変更できるようにするとした演奏装置が開示されている。
【０００４】
特許文献２には、曲を奏でるオルゴール発音機構と、その発音機構を取付ける取付部材を有する共鳴体からなるオルゴール装置において、このオルゴール発音機構のフレームと取付部材とはオルゴール発音機構から発生する音の振動エネルギーの伝達制御が可能な制御部材を介して固定したオルゴール装置が開示されている。
【先行技術文献】
【特許文献】
【０００５】
【特許文献１】特開２００３−２８０６３９号公報
【特許文献２】特開２００４−１２６７８号公報
【発明の概要】
【発明が解決しようとする課題】
【０００６】
しかしながら、発音する発音体から振動板に伝達する振動を制御する構成にあっては、構造が複雑になり易いとともに、発音体から振動板への振動の伝達の安定性が低下し易い。
【０００７】
そこで、本発明は、本構成を有さない場合と比較して、構造を簡略化しつつ音量を調節することができる音量調節装置及びオルゴール装置を提供することを目的とする。
【課題を解決するための手段】
【０００８】
上記目的を達成するために、本発明に係る音量調節装置は、音を発生する発音部と共振するように該発音部を支持する支持体と、前記支持体に接触する接触部と、前記接触部の前記支持体に対する接触度合を調節する調節手段と、を有する音量調節装置。
このため、本構成を有さない場合と比較して、構造を簡略化しつつ音量を調節することができる。
【０００９】
好適には、前記接触部は、前記支持体を挟んで前記発音機構と対向する位置に接触する。
このため、本構成を有さない場合と比較して、より効果的に音量を調節することができる。
【００１０】
好適には、前記接触部は、支点を中心に前記支持体に向けて回転自在である。
このため、本構成を有さない場合と比較して、より構造を簡略化することができる。
【００１１】
好適には、前記調節手段は、前記接触部を支持するカム、をさらに有し、前記カムの回転に伴って前記接触部と前記支持体との接触する度合が変更する。
このため、本構成を有さない場合と比較して、音量をより容易に調節することができる。
【００１２】
好適には、前記調節手段は、前記接触部を回転自在に支持する回転軸部、をさらに有し、前記カムの回転に伴って前記接触部が前記回転軸部を支点に回転する。
このため、本構成を有さない場合と比較して、より簡易な構造で音量をより容易に調節することができる。
【００１３】
好適には、前記接触部は、前記支持体と接触する部分が金属により構成される。
このため、本構成を有さない場合と比較して、より効果的に音量を調節することができる。
【００１４】
本発明に係るオルゴール装置は、前記オルゴール本体と、前記オルゴール本体と共振するように該オルゴール本体を支持する支持体と、前記支持体に接触する接触部と、前記接触部の前記支持体に対する接触度合を調節する調節手段と、を有する。
このため、本構成を有さない場合と比較して、構造を簡略化しつつ音量を調節することができる。
【発明の効果】
【００１５】
本発明に係る音量調節装置及びオルゴール装置によれば、本構成を有さない場合と比較して、構造を簡略化しつつ音量を調節することができる。
【図面の簡単な説明】
【００１６】
【図１】第一の実施形態が適用されるオルゴール装置の全体概略図である。
【図２】図１のＩＩ−ＩＩ線図である。
【図３】図１のＩＩＩ−ＩＩＩ線図である。
【図４】第一の実施形態が適用される発音機構の制御構成の概略図である。
【図５】第一の実施形態が適用される音量調節機構による音量を調節する動作を説明する説明図である。
【図６】第二の実施形態が適用されるオルゴール装置の全体概略図である。
【図７】第三の実施形態が適用されるオルゴール装置の全体概略図である。
【発明を実施するための形態】
【００１７】
［第一の実施形態］
第一の実施形態に係るオルゴール装置１０について説明する。
図１は、第一の実施形態に係るオルゴール装置１０の全体概略図を示す。
図２は、図１のＩＩ−ＩＩ線図を示す。
図３は、図１のＩＩＩ−ＩＩＩ線図を示す。
【００１８】
オルゴール装置１０は、筺体１２と、この筺体１２に対して開閉自在に設けられた蓋体１４とを備える。筺体１２内には、音を発生する発音部としてのオルゴール本体２０と、このオルゴール本体２０と共振するようにオルゴール本体２０を支持する支持体２２と、音量調節機構２４と、制御部２６とが設けられている。
【００１９】
本実施形態においてオルゴール本体２０は、筺体１２の中央よりも一方の側壁側（図１、２において右側）において、支持体２２に対して接触して固定されている。オルゴール本体２０は、振動板３０と、爪部としてのスターホイール３２と、規制部としてのアクチュエータ３４とを有する。
【００２０】
振動板３０は、弾かれることで音を発する複数の振動弁３６を有する。
スターホイール３２は、複数の振動弁３６それぞれに対応するようにして複数設けられている。複数のスターホイール３２はモータ３８（図４参照）の駆動力を受けて回転するようになっており、回転することによって対応する振動弁３６を弾く。
【００２１】
アクチュエータ３４は、スターホイール３２の回転を規制する。アクチュエータ３４は、複数のスターホイール３２それぞれに対応する伸縮自在な伸縮部材３４ａを複数有する。伸縮部材３４ａが伸びている状態においては、対応するスターホイール３２とこの伸縮部材３４ａとが接触して、このスターホイール３２の回転を阻害する。伸縮部材３４ａが縮んでいる状態においては、対応するスターホイール３２とこの伸縮部材３４ａとが接触せず、このスターホイール３２の回転を阻害しない。
オルゴール本体２０は、伸縮部材３４ａの伸縮を制御することによって、所望するタイミングで対応するスターホイール３２を回転し、所定の振動弁３６を弾くようになっている。
【００２２】
支持体２２は板状の部材であり、オルゴール本体２０を下方から支持するようにして設けられている。支持体２２は、オルゴール本体２０の振動を受けてこのオルゴール本体２０が発する音量を増大する。支持体２２は、筺体１２の保持部１２ａに対して複数のねじ１２ｂによってねじ留めされている。
【００２３】
音量調節機構２４は、支持体２２の下方に設けられている。音量調節機構２４は、筺体１２の中央よりも一方の側壁側であってオルゴール本体２０とは反対側（図１において左側）に設けられた支持部材４０と、オルゴール本体２０側（図１において右側）に設けられた調整部４２と、これら支持部材４０及び調整部４２に支持されるようにして設けられた接触部４４とを有する。
【００２４】
支持部材４０と接触部４４とは回転軸部としての蝶番４６を介して接続されており、接触部４４は蝶番４６を支点として支持部材４０に対して回転自在となっている。
本実施形態においては、支持部材４０、調整部４２及び蝶番４６が主に、接触部４４の支持体２２に対して接触する度合（接触度合）を調節する調節手段として機能する。
【００２５】
調整部４２は、筺体１２の外側に配置されるつまみ部５０と、このつまみ部５０に接続された軸５２と、この軸５２の回転に従って回転するカム５４とを有する。カム５４は、円周の一部に平面部５４ａが形成された形状となっており、軸５２が中心からずれるようにして設けられている（偏心カム）。
例えば操作者がつまみ部５０を回転することによって、カム５４が回転するようになっている。
【００２６】
接触部４４は、板状に形成された基台６０と、この基台６０の上部に設けられた制振体６２とを有する。制振体６２は、少なくとも支持体２２側の表面が金属により構成される。本実施形態において制振体６２は、基台６０側から順にゴムとアルミニウムとが積層するようにして構成されている。制振体６２のゴム・アルミニウム及び基台６０はそれぞれ、特殊ゴム系の粘着剤により接着されている。
【００２７】
また、本実施形態において制振体６２は、三つの部材（第一の制振体６２ａ、第二の制振体６２ｂ、第三の制振体６２ｃ）により構成される。
第一の制振体６２ａは少なくとも、オルゴール本体２０が支持体２２へ振動を伝達する部分の面積よりも大きく形成されている。第一の制振体６２ａは、好ましくはオルゴール本体２０の振動板３０を支持体２２に投影した面積よりも大きく、より好ましくはオルゴール本体２０が支持体２２と接触している面積よりも大きい。
【００２８】
次に、オルゴール本体２０の詳細について説明する。
図４は、オルゴール本体２０の制御構成の概略図を示す。
【００２９】
オルゴール本体２０は、制御部２６によって制御される。
制御部２６は、ＣＰＵ７０と、ＲＯＭ７２と、メモリ７４と、外部の機器と通信する通信インタフェース（通信ＩＦ）７６と、演奏に関する情報を所定の駆動信号に対応する演奏情報に変換する信号変換ＩＦ７８とを有し、これらがバス８０を介して相互に通信するように構成されている。メモリ７４は、通信ＩＦ７６を介して供給された演奏情報や信号変換ＩＦ７８によって変換された演奏情報を記憶する。
【００３０】
ＣＰＵ７０は、オルゴール本体２０のアクチュエータ３４及びモータ３８の駆動を制御する。例えば、オルゴール装置１０の電源がオン状態になると、ＣＰＵ７０はモータ３８を回転させる。そして、ＣＰＵ７０は、演奏情報に基づいてアクチュエータ３４の対応する伸縮部材３４ａを縮ませる。縮んだ伸縮部材３４ａに対応するスターホイール３２は規制が解除されて回転し、対応する振動弁３６を弾く。このようにして、演奏情報に基づいて振動弁３６が弾かれ、所定の音楽が演奏される。
【００３１】
制御部２６は、鍵盤により演奏される音楽を演奏に関する情報として取り入れるようにしてもよいし、例えば汎用のパーソナルコンピュータである端末装置から演奏情報を取り入れるようにしてもよい。
【００３２】
次に、音量調節機構２４による音量を調節する動作について説明する。
図５は、音量調節機構２４による音量を調節する動作について説明する説明図であり、正面からみた図と側方からみた図とを並べたものを示す。
図５（Ａ）は接触部４４が支持体２２から最も離れた（接触していない）状態を示し、図５（Ｂ）は図５（Ａ）の状態よりも接触部４４が支持体２２側に近づいた（接触した）状態を示し、図５（Ｃ）は接触部４４が支持体２２に最も近付いた（接触した）状態を示す。
【００３３】
図５（Ａ）に示すように、カム５４の平面部５４ａが接触部４４側（図５において上側）を向いた状態の場合、この接触部４４は支持体２２と離間している。接触部４４は、カム５４を介した軸５２からの距離が所定の値よりも小さい場合に支持体２２と接触する度合が最小（ここでは接触していない状態）となる。
この場合、支持体２２はその振動が抑制されることなく、オルゴール本体２０の発する音量を増大する度合が最大となる。
【００３４】
図５（Ｂ）に示すように、図５（Ａ）の状態からカム５４が回転すると、このカム５４の円周に沿って接触部４４が支持体２２側へ移動する。この際、制振体６２の一部が支持体２２に接触する。具体的には、第一の制振体６２ａが支持体２２を挟んでオルゴール本体２０と対向する位置に接触する。第一の制振体６２ａは、オルゴール本体２０と支持体２２とが接触する面を、この支持体２２を挟んで覆うようにして支持体２２と接触する。
この場合、図５（Ａ）の状態と比較して、支持体２２は振動が抑制され、オルゴール本体２０の発する音量を増大する度合が小さくなる。
【００３５】
支持体２２は、オルゴール本体２０と接触している位置（オルゴール本体２０の振動を受けやすい位置）ほどその音量の増大の度合に寄与し易い。このため、接触部４４がオルゴール本体２０と対向する位置と接触する構成の場合、他の位置と接触する場合と比較して、より効果的に支持体２２の振動が抑制される。
【００３６】
図５（Ｃ）に示すように、図５（Ｂ）の状態からカム５４が回転すると、このカム５４の円周に沿って接触部４４が支持体２２側へさらに移動する。この際、図５（Ｂ）に示す状態よりも制振体６２の多くの部分が支持体２２に接触する。具体的には、第一の制振体６２ａに加えて第二の制振体６２ｂ及び第三の制振体６２ｃが支持体２２に接触する。接触部４４は、カム５４を介した軸５２からの距離が最大となった場合に支持体２２と接触する度合が最大となる。
この場合、支持体２２はその振動が最大限に抑制され、オルゴール本体２０の発する音量を増大する度合が最小となる。
【００３７】
このように、接触部４４は、カム５４の回転に伴って支持体２２と接触する度合が調節されるようになっている。
オルゴール装置１０においては、オルゴール本体２０は支持体２２に対して一定に固定されている。このため、オルゴール本体２０から支持体２２への振動の伝達を維持した状態で、オルゴール装置１０から発せられる音量が調節されることとなる。
【００３８】
上記実施形態においては、接触部４４の制振体６２が三つの部材により構成されている場合について説明したが、これに限らず、制振体６２は一つの板状の部材であってもよいし、二つあるいは四つ以上の部材により構成されていてもよい。
【００３９】
［第二の実施形態］
次に、第二の実施形態に係るオルゴール装置１００について説明する。
第一の実施形態に係るオルゴール装置１０は音量調節機構２４を備えていたのに対し、第二の実施形態に係るオルゴール装置１００は音量調節機構１０４を備えている点で、両者は異なる。
図６は、第二の実施形態に係るオルゴール装置１００の全体概略図を示す。
【００４０】
音量調節機構１０４は、支持体２２の下方に設けられている。
音量調節機構１０４は、調整部１０６と、筺体１２の底側から支持体２２側に向けて延びるようにして設けられた案内部材１０８と、調整部１０６に支持されるようにして設けられた接触部４４とを有する。案内部材１０８は、接触部４４の移動を案内する。
本実施形態においては、調整部１０６及び案内部材１０８が主に、接触部４４の支持体２２に対して接触する度合（接触度合）を調節する調節手段として機能する。
【００４１】
調整部１０６は、筺体１２の外側に配置されるつまみ部１１０と、このつまみ部１１０に接続され支持体２２と略平行に延びる軸１１２と、この軸１１２の回転に従って回転する第一のカム１１４及び第二のカム１１６とを有する。
【００４２】
第一のカム１１４は、筺体１２の中央よりも一方の側壁側（図６において右側）であってオルゴール本体２０の下方に設けられている。第一のカム１１４は、円周の一部に平面部１１４ａが形成された形状となっており軸１１２が中心からずれるようにして設けられている（偏心カム）。
第二のカム１１６は、筺体１２の中央よりも一方の側壁側であってオルゴール本体２０とは反対側（図６において左側）に設けられている。第二のカム１１６は、円周の一部に平面部１１６ａが形成された形状となっており軸１１２が中心からずれるようにして設けられている（偏心カム）。
【００４３】
例えば操作者がつまみ部１１０を回転することによって、第一のカム１１４及び第二のカム１１６が回転するようになっている。これら第一のカム１１４及び第二のカム１１６が回転するとその円周に従い、接触部４４が案内部材１０８に沿って支持体２２に向かうように移動したり、この支持体２２から離れるように移動したりする。
接触部４４を支持体２２と接触するように移動することで、この支持体２２の振動の抑制が強まりオルゴール本体２０の発する音量を増大する度合が小さくなる。一方、接触部４４を支持体２２から離間するように移動することで、この支持体２２の振動の抑制が弱まりオルゴール本体２０の発する音量を増大する度合が大きくなる。
【００４４】
このように、オルゴール装置１００においては、支持体２２の下面に対して接触部４４が均等に接触するようになっている。
【００４５】
［第三の実施形態］
次に、第三の実施形態に係るオルゴール装置１２０について説明する。
第一の実施形態に係るオルゴール装置１０は音量調節機構２４を備えていたのに対し、第三の実施形態に係るオルゴール装置１２０は音量調節機構１２４を備えている点で、両者は異なる。
図７は、第二の実施形態に係るオルゴール装置１２０の全体概略図を示す。
【００４６】
音量調節機構１２４は、支持体２２の下方に設けられている。
音量調節機構１２４は、筺体１２の中央よりも一方の側壁側（図７において右側）であってオルゴール本体２０の下方に設けられた第一の調整部１２６と、筺体１２の中央よりも一方の側壁側であってオルゴール本体２０とは反対側（図７において左側）に設けられた第二の調整部１２８と、筺体１２の底側から支持体２２側に向けて延びるようにして設けられた案内部材１３０と、第一の調整部１２６及び第二の調整部１２８に支持されるようにして設けられた接触部４４とを有する。案内部材１３０は、接触部４４の移動を案内する。
本実施形態においては、第一の調整部１２６、第二の調整部１２８、案内部材１３０が主に、接触部４４の支持体２２に対する接触度合を調節する調節手段として機能する。
【００４７】
第一の調整部１２６は、筺体１２の外側に配置されるつまみ部１３２と、このつまみ部１３２に接続された軸１３４と、この軸１３４の回転に従って回転する第一のカム１３６とを有する。
第一のカム１３６は、円周の一部に平面部１３６ａが形成された形状となっており軸１３４が中心からずれるようにして設けられている（偏心カム）。
【００４８】
例えば操作者がつまみ部１３２を回転することによって、第一のカム１３６が回転するようになっている。第一のカム１３６が回転するとその円周に従い、接触部４４が案内部材１３０に沿って支持体２２に向かうように移動したり、この支持体２２から離れるように移動したりする。
【００４９】
第二の調整部１２８は、筺体１２の外側に配置されるつまみ部１４２と、このつまみ部１４２に接続された軸１４４と、この軸１４４の回転に従って回転する第二のカム１４６とを有する。
第二のカム１４６は、円周の一部に平面部１４６ａが形成された形状となっており軸１４４が中心からずれるようにして設けられている（偏心カム）。
【００５０】
例えば操作者がつまみ部１４２を回転することによって、第二のカム１４６が回転するようになっている。第二のカム１４６が回転するとその円周に従い、接触部４４が案内部材１３０に沿って支持体２２に向かうように移動したり、この支持体２２から離れるように移動したりする。
【００５１】
このように、オルゴール装置１２０においては、接触部４４の両端それぞれを別個に移動自在な構成となっている。このため、本構成を有さない場合と比較して、支持体２２と接触する接触部４４の度合がより微細に変更自在となる。
第二の調整部１２８を動作せずに第一の調整部１２６のみを動作した場合、接触部４４は、第一のカム１３６の回転に従い第二のカム１４６を支点として支持体２２に向けて回転する。また、第一の調整部１２６及び第二の調整部１２８を同様に操作した場合、接触部４４は、支持体２２の下面に対して均等に移動する。
【００５２】
上記実施形態においては、オルゴール装置１２０の対向する側壁それぞれに二つの調整部（第一の調整部１２６及び第二の調整部１２８）を設ける構成について説明したが、これに限らず、調整部の数や設置する側壁は適宜設定することができる。
【００５３】
第一の実施形態〜第三の実施形態においては、オルゴール本体２０として、振動板３０、スターホイール３２及びアクチュエータ３４を備える構成について説明したが、これに限らず、スターホイール３２の回転を補助するサンホイールをさらに備えた構成としてもよい。具体的には、モータの駆動力を受けて回転するサンホイールをスターホイール３２の上方に設け、スターホイール３２が回転するとサンホイールと噛み合い、このスターホイール３２がサンホイールの回転に従って振動弁３６を弾く構成としてもよい。これにより、スターホイール３２が振動板３０の振動弁３６を弾くのに十分な回転がより得られやすくなる。
あるいは、オルゴール本体２０として、ディスク式のオルゴールや、シリンダ式のオルゴールを用いるようにしてもよい。
【００５４】
第一の実施形態〜第三の実施形態においては、操作者がつまみ部を操作することによってカムを回転することに限らず、制御部２６によってカムの回転を制御するようにしてもよい。例えば、演奏情報に音量に関する情報を含めるようにし、制御部２６がこの演奏情報に基づいてカムの回転を制御することで、音量を調節するようにしてもよい。
【００５５】
第一の実施形態〜第三の実施形態に係る音量調節機構について、これらは接触部４４と支持体２２との接触度合を調節させるように機能するとして説明したが、この接触度合としては例えば、接触部４４と支持体２２との接触する「面積」や、接触部４４の支持体２２に対する「圧力」などが含まれる。
【００５６】
上記実施形態に係る構成は、適宜組み合わせて用いるようにしてもよい。
【符号の説明】
【００５７】
１０    オルゴール装置
１２    筺体
１４    蓋体
２０    オルゴール本体
２２    支持体
２４    音量調節機構
２６    制御部
３０    振動板
３２    スターホイール
３４    アクチュエータ
３４ａ    伸縮部材
３６    振動弁
３８    モータ
４０    支持部材
４２    調整部
４４    接触部
４６    蝶番
６０    基台
６２    制振体
【図１】
2015068873.tif 000003
【図２】
2015068873.tif 000004
【図３】
2015068873.tif 000005
【図４】
2015068873.tif 000006
【図５】
2015068873.tif 000007
【図６】
2015068873.tif 000008
【図７】
2015068873.tif 000009